(57)【要約】【課題】  デジタルカメラに対して撮影補助情報を送信可能な配信サーバーと、配信サーバーから撮影補助情報を取得して表示する撮像装置から構成される撮影補助情報表示システムにおいて、電子ビューファインダ画像と配信サーバーから取得した撮影補助情報を同時に表示可能な撮影補助情報表示システムを提供、その際に、撮影補助情報の提供者の意図にしたがって、デジタルカメラの表示部に表示する撮影補助情報を制御可能な撮影補助情報表示システムを提供する。【解決手段】  撮影補助情報は表示部の主領域表示用の情報と、ひとつ以上の表示部の限定領域表示用の情報を構成要素として備え、デジタルカメラは、主領域表示用の情報を表示部に表示する手段と、電子ビューファインダ画像と限定領域表示用の情報を同時に表示部に表示する手段と、再生画像と限定領域表示用の情報を同時に表示部に表示する手段を備える。【選択図】        図１
2006295687.tif 000002
【特許請求の範囲】
【請求項１】
撮像装置に対して撮影補助情報を送信可能な配信サーバーと、前記配信サーバーから撮影補助情報を取得して表示する撮像装置から構成される撮影補助情報表示システムであって、
前記撮影補助情報は表示部の主領域表示用の情報と、
ひとつ以上の、表示部の限定領域表示用の情報を構成要素として備え、
前記撮像装置は、主領域表示用の情報を表示部に表示する手段と、
電子ビューファインダ画像と限定領域表示用の情報を同時に表示部に表示する手段と、
再生画像と限定領域表示用の情報を同時に表示部に表示する手段を備えることを特徴とする撮影補助情報表示システム。
【請求項２】
前記撮像装置は更に、表示部に撮影補助情報の主領域表示用情報を表示している状態で、
ユーザーが撮影準備を指示した場合に、電子ビューファインダ画像と撮影補助情報の限定領域表示用の情報を同時に表示部に表示することを特徴とする請求項１に記載の撮影補助情報表示システム。
【請求項３】
前記撮像装置は更に、表示部に撮影補助情報の主領域表示用情報を表示している状態で、
ユーザーが画像の再生を指示した場合に、再生画像と撮影補助情報の限定領域表示用の情報を同時に表示部に表示することを特徴とする請求項１に記載の撮影補助情報表示システム。
【請求項４】
撮像装置に対して撮影補助情報を送信可能な配信サーバーと、前記配信サーバーから撮影補助情報を取得して表示する撮像装置から構成される撮影補助情報表示システムの制御方法であって、
前記撮影補助情報は表示部の主領域表示用の情報と、
ひとつ以上の、表示部の限定領域表示用の情報を構成要素として備え、
前記撮像装置は、主領域表示用の情報を表示部に表示する工程と、
電子ビューファインダ画像と限定領域表示用の情報を同時に表示する工程と、
再生画像と限定領域表示用の情報を同時に表示する工程を備えることを特徴とする撮影補助情報表示システムの制御方法。
【請求項５】
前記撮像装置の表示部に撮影補助情報の主領域表示用情報を表示している状態で、ユーザーが撮影準備を指示した場合に、電子ビューファインダ画像と撮影補助情報の限定領域表示用の情報を同時に表示部に表示する工程を備えることを特徴とする請求項４に記載の撮影補助情報表示システムの制御方法。
【請求項６】
前記撮像装置の表示部に撮影補助情報の主領域表示用情報を表示している状態で、ユーザーが画像の再生を指示した場合に、再生画像と撮影補助情報の限定領域表示用の情報を同時に表示部に表示する工程を備えることを特徴とする請求項４に記載の撮影補助情報表示システムの制御方法。
【請求項７】
撮像装置に対して撮影補助情報を送信可能な配信サーバーと、前記配信サーバーから撮影補助情報を取得して表示する撮像装置から構成される撮影補助情報表示システムであって、
前記撮影補助情報は、ひとつ以上の、撮像装置の状態に関する情報と表示部の主領域表示用の情報、あるいは表示部の限定領域表示用の情報の組から構成される情報を構成要素として備え、
前記撮像装置は、撮像装置が前記状態にあるときに、対応する主領域表示用の情報を表示部に表示するか、あるいは対応する限定領域表示用の情報を表示部に表示する手段を備えることを特徴とする撮影補助情報表示システム。
【請求項８】
撮像装置に対して撮影補助情報を送信可能な配信サーバーと、前記配信サーバーから撮影補助情報を取得して表示する撮像装置から構成される撮影補助情報表示システムの制御方法であって、
前記撮影補助情報は、ひとつ以上の、撮像装置の状態に関する情報と表示部の主領域表示用の情報、あるいは表示部の限定領域表示用の情報の組から構成される情報を構成要素として備え、
前記撮像装置は、撮像装置が前記状態にあるときに、対応する主領域表示用の情報を表示部に表示するか、あるいは対応する限定領域表示用の情報を表示部に表示する工程を備えることを特徴とする撮影補助情報表示システムの制御方法。
【発明の詳細な説明】
【技術分野】
【０００１】
本発明は、配信サーバーと、配信サーバーから撮影補助情報を取得して表示するデジタルカメラ等の撮像装置から構成される、撮影補助情報表示システムと、その制御方法に関するものである。
【背景技術】
【０００２】
従来より、デジタルカメラから特定のサーバーにアクセスして、撮影ポイントに関する情報（撮影補助情報）を取得して、デジタルカメラの液晶モニタなどで閲覧する方法が提案されていた。
【０００３】
例えば、特許文献１では、デジタルカメラでの撮影時に撮影をアシストする目的で、デジタルカメラが複数の撮影補助情報からなる撮影情報が保管された基地局と通信を行って撮影情報を受信し、それを表示する方法が提案されており、撮影補助情報としては具体的には、基地局周辺の地図や基地局の周辺における史跡、景勝地、観光地の場所を表す情報などが挙げられている。
【特許文献１】特開２００３−１１０９０２号公報
【発明の開示】
【発明が解決しようとする課題】
【０００４】
しかしながら、特許文献１で開示されているデジタルカメラでは、撮影補助情報を表示するための液晶モニタなどの表示部は、ユーザーが撮影動作に移行した場合は電子ビューファインダ画像を表示しているものと考えられる。すなわち、撮影動作を行いつつ同時に撮影補助情報をユーザーが見るようなケースについては考慮されていない。
【０００５】
そこで、本発明の目的とするところは、電子ビューファインダ画像と配信サーバーから取得した撮影補助情報を同時に表示可能な撮影補助情報表示システム及びその制御方法を提供することである。
【０００６】
その際に、撮影補助情報の提供者の意図にしたがって、デジタルカメラの表示部に表示する撮影補助情報を制御可能な撮影補助情報表示システム及びその制御方法を提供する。
【課題を解決するための手段】
【０００７】
上記課題を解決するために、本発明にかかる撮影補助情報表示システムは以下の構成をとる。
【０００８】
すなわち、撮像装置に対して撮影補助情報を送信可能な配信サーバーと、前記配信サーバーから撮影補助情報を取得して表示する撮像装置から構成される撮影補助情報表示システムであって、前記撮影補助情報は表示部の主領域表示用の情報と、ひとつ以上の、表示部の限定領域表示用の情報を構成要素として備え、前記撮像装置は、主領域表示用の情報を表示部に表示する手段と、電子ビューファインダ画像と限定領域表示用の情報を同時に表示部に表示する手段と、再生画像と限定領域表示用の情報を同時に表示部に表示する手段を備えることを特徴とする。
【０００９】
また、上記撮影補助情報表示システムにおいて、前記撮像装置は更に、表示部に撮影補助情報の主領域表示用情報を表示している状態で、ユーザーが撮影準備を指示した場合に、電子ビューファインダ画像と撮影補助情報の限定領域表示用の情報を同時に表示部に表示するようにしてもよい。
【００１０】
また、上記撮影補助情報表示システムにおいて、前記撮像装置は更に、表示部に撮影補助情報の主領域表示用情報を表示している状態で、ユーザーが画像の再生を指示した場合に、再生画像と撮影補助情報の限定領域表示用の情報を同時に表示部に表示するようにしてもよい。
【００１１】
また本発明は、撮影補助情報表示システムの制御を行うためのコンピュータプログラムとしても構成することが出来る。すなわち、撮像装置に対して撮影補助情報を送信可能な配信サーバーと、前記配信サーバーから撮影補助情報を取得して表示する撮像装置から構成される撮影補助情報表示システムの制御方法であって、前記撮影補助情報は表示部の主領域表示用の情報と、ひとつ以上の、表示部の限定領域表示用の情報を構成要素として備え、前記撮像装置は、主領域表示用の情報を表示部に表示する工程と、電子ビューファインダ画像と限定領域表示用の情報を同時に表示する工程と、再生画像と限定領域表示用の情報を同時に表示する工程を備えることを特徴とする。
【００１２】
また、上記撮影補助情報表示システムの制御方法において、前記撮像装置の表示部に撮影補助情報の主領域表示用情報を表示している状態で、ユーザーが撮影準備を指示した場合に、電子ビューファインダ画像と撮影補助情報の限定領域表示用の情報を同時に表示部に表示する工程を備えるようにしてもよい。
【００１３】
また、上記撮影補助情報表示システムの制御方法において、前記撮像装置の表示部に撮影補助情報の主領域表示用情報を表示している状態で、ユーザーが画像の再生を指示した場合に、再生画像と撮影補助情報の限定領域表示用の情報を同時に表示部に表示する工程を備えるようにしてもよい。
【００１４】
上記課題を解決するために、本発明にかかる撮影補助情報表示システムは以下の構成をとる。
【００１５】
すなわち、撮像装置に対して撮影補助情報を送信可能な配信サーバーと、前記配信サーバーから撮影補助情報を取得して表示する撮像装置から構成される撮影補助情報表示システムであって、前記撮影補助情報は、ひとつ以上の、撮像装置の状態に関する情報と表示部の主領域表示用の情報、あるいは表示部の限定領域表示用の情報の組から構成される情報を構成要素として備え、
前記撮像装置は、撮像装置が前記状態にあるときに、対応する主領域表示用の情報を表示部に表示するか、あるいは対応する限定領域表示用の情報を表示部に表示する手段を備えることを特徴とする。
【００１６】
また、撮影補助情報表示システムの制御を行うためのコンピュータプログラムとして構成した場合、撮像装置に対して撮影補助情報を送信可能な配信サーバーと、前記配信サーバーから撮影補助情報を取得して表示する撮像装置から構成される撮影補助情報表示システムの制御方法であって、前記撮影補助情報は、ひとつ以上の、撮像装置の状態に関する情報と表示部の主領域表示用の情報、あるいは表示部の限定領域表示用の情報の組から構成される情報を構成要素として備え、
前記撮像装置は、撮像装置が前記状態にあるときに、対応する主領域表示用の情報を表示部に表示するか、あるいは対応する限定領域表示用の情報を表示部に表示する工程を備えることを特徴とする。
【発明の効果】
【００１７】
本発明によれば、電子ビューファインダ画像と配信サーバーから取得した撮影補助情報を同時に表示することが可能であり、ユーザーは撮影動作を妨げられることなく、撮影補助情報を確認することができる。
【００１８】
また、本発明によれば、画像の再生と撮影補助情報の表示を同時に行うことが可能であり、ユーザーは画像の閲覧動作を妨げられることなく、撮影補助情報を確認することができる。
【００１９】
また、本発明によれば、撮影モードや再生モードでの撮影補助情報の内容を、撮影補助情報提供者が作成することができるので、例えば撮影モードと再生モードでの表示内容を変えたり、ホワイトバランスモードの選択時には、ホワイトバランスの決定の補助情報となるような内容を表示したりすることが可能である。したがって、撮影者の意図に適した内容を提供することが可能になる。
【００２０】
また、デジタルカメラのユーザーにとっては、カメラの設定や状態に応じた撮影補助情報を得ることができる。
【００２１】
さらに、本発明によれば、ＬＣＤモニタの全領域表示用の撮影補助情報と一部領域表示用の撮影補助情報を同時に取得することによって、カメラが再生モードに移行したり、撮影モードに移行したりする度に、配信サーバーにアクセスして一部領域表示用の撮影補助情報を取得する必要がなくなり、軽快に動作することが可能となる。
【発明を実施するための最良の形態】
【００２２】
以下本発明を実施するための最良の形態を、実施例により詳しく説明する。
【実施例１】
【００２３】
以下、本発明に係る撮影補助情報表示システムの第１の実施の形態を図面を参照しながら説明する。
【００２４】
図３は本発明の実施形態による撮影補助情報表示システムの構成を示したものである。
【００２５】
配信サーバー３１、ユーザー端末３２、アクセスポイント３３、３４がネットワーク３８を介して接続されている。デジタルカメラ３５は無線通信によってアクセスポイント３４を介してネットワークに接続されている。配信サーバー３１は構成要素であるストレージ領域に撮影補助情報３７を保持している。
【００２６】
撮影補助情報３７は例えばＨＴＭＬ（ＨｙｐｅｒＴｅｘｔ  Ｍａｒｋｕｐ  Ｌａｎｇｕａｇｅ）の形式で記述されている。ＨＴＭＬはＷｅｂページを記述するための言語であり、タグと呼ばれる予約言語によって、他の文書へのリンクやファイルのある場所などが記述されたテキストファイルである。
【００２７】
撮影補助情報３７は撮影補助情報提供者がユーザー端末３２で作成し、ネットワーク３８を介して配信サーバー３１にアップロードする。
【００２８】
図３の３６は撮影補助情報３７のネットワーク上での存在場所を示すＵＲＬ情報である。ＵＲＬ情報は、テキストの形式で書かれた文字列であったり、ＱＲコードなどのようにデジタルカメラに入力しやすい形式で記述されたりする。デジタルカメラ３５のユーザーは、ＵＲＬ情報を撮影することによって、画像データの形でデジタルカメラ３５に取り込む。デジタルカメラ３５が文字認識手段やＱＲコードのデコード手段を備えることによって、取り込んだ画像データからネットワークアドレス情報を取り出した後、そのネットワークアドレスにアクセスすることによって、撮影補助情報３７を取り出すことができる。
【００２９】
一方、図２は本発明の実施形態によるデジタルカメラの構成を示すブロック図である。
【００３０】
まず、デジタルカメラ３５は、撮影レンズと、撮影レンズを介して入射する被写体光を受光し、光電変換して画像信号を生成するＣＣＤと、後段のアナログ／デジタル（Ａ／Ｄ）変換回路等から構成される撮像部２０５を備えている。撮像部２０５がＣＰＵ２０６の制御のもと、デジタル画像信号を出力して信号処理部２０３で信号処理を施した後、ＲＡＭ２０４に一時的にデジタル画像信号を保持する。その後作成されたデジタル画像信号に撮影設定情報などを付属情報としてヘッダー領域に付加し、最終的にコンパクトフラッシュ（登録商標）２０７に画像ファイルとして保存する。
【００３１】
画像ファイルを記録するための記録媒体としては、コンパクトフラッシュ（登録商標）の代わりにメモリカード・光磁気ディスクその他のリムーバブルメディアであってもよい。
【００３２】
上記ＣＰＵ２０６には、更にＲＯＭ２１０、各種操作部材２１２からの入力を制御するＳＷ制御部２１１、デジタル画像信号の表示データや、各種ユーザーインターフェイスの表示データを保持するためのＶＲＡＭ２０８、通信インターフェイス２０２、各種パラメータや各種情報を保持するためのフラッシュＲＯＭ２１３が接続されている。また、ＶＲＡＭ２０８に保持された表示データの内容は、ＬＣＤモニタ２０９に表示される。
【００３３】
通信インターフェイス２０２はコントローラ２１４、ＲＦモジュール２１５、およびアンテナ２１６を有しており、アクセスポイントと無線通信を行う。
【００３４】
コントローラ２１４は、ＩＥＥＥ８０２．１１ｂ／ｇのプロトコルに応じた無線通信を行うためのベースバンド制御（無線インターフェイス制御）等を行うコントローラであり、ＣＰＵ２０６との間でデータの送受信を行う。
【００３５】
ＲＦモジュール２１５は、データを無線通信するために、信号のＡ／Ｄ変換、Ｄ／Ａ変換等をおこなうモジュールでありアンテナ２１６と接続する。
【００３６】
アンテナ２１６はＲＦモジュール２１５によりアナログ信号に変換された信号を電波として放射する。またアナログ信号を受信し、ＲＦモジュール２１５に送出する。
【００３７】
各種操作部材２１２は、電源のＯＮ／ＯＦＦを制御するための電源ＳＷ（不図示）や、撮影を指示するためのレリーズＳＷ（不図示）や、再生モードと撮影モードを切り替えるためのモードＳＷ（不図示）や、ＬＣＤモニタ２０９に撮影補助情報を表示するよう指示するためのＳＷ（不図示）や、ＬＣＤモニタ２０９にメニューを表示するためのＳＷ（不図示）や、画像コマを送ったり戻したり、メニューの選択状態を変更したりするために使用するＳＷ（不図示）や、液晶上で直接指示を与えるタッチパネル（不図示）などが含まれる。
【００３８】
前述したとおり、デジタルカメラ３５はＵＲＬ情報を撮影することによって、画像データの形で取り込む。取り込んだ画像データからネットワークアドレス情報を取り出す。そのネットワークアドレスをあて先として、通信インターフェイス２０２からアクセスポイント３４に無線接続し、さらにネットワーク上の配信サーバー３１に接続する。ネットワークアドレス情報には、ネットワークのアドレスと共に、撮影補助情報ファイルのファイル名も記述されており、配信サーバー３１は対象の撮影補助情報ファイルをデジタルカメラ３５に送信する。
【００３９】
ここで、撮影補助情報は撮影時に撮影者が参照して有益な情報である。例えば、運動会の会場では、運動会のプログラムを撮影補助情報として配信サーバーから受信して、デジタルカメラのＬＣＤモニタで確認しながら撮影を行うことによって、撮影したい種目や被写体を撮りのがすことを減らせる。
【００４０】
また、花火大会の会場では、打ち上げされる花火の情報や花火を撮影するのに適したシャッタースピードや絞り値の情報などが、撮影補助情報として考えられる。
【００４１】
図４〜図８および図１３は撮影補助情報の一例を示しており、特定の運動会のプログラムや運動会での撮影ガイダンスを記述したものである。
【００４２】
本実施例では撮影補助情報はＨＴＭＬの形式で記述されている。
【００４３】
図４はデジタルカメラのＬＣＤモニタの領域全体に撮影補助情報を表示するときの撮影補助情報ファイルであるｉｎｄｅｘ．ｈｔｍの内容を示している。
【００４４】
図４の撮影補助情報はＵＲＬ情報３６から得られるネットワークアドレスにアクセスした際に、配信サーバー３１から送信される。図４の４１はＬＣＤモニタの一部領域に撮影補助情報を表示する際の、表示内容が記述されたファイル名を示している。４１の記述形式は、＜Ａ＞はタグ名を表し、ほかのＵＲＬへのリンク情報が“ｈｒｅｆ＝”の後の文字列に記述されている。さらに属性“ｄｉｓｐ＿ｔｙｐｅ”は、リンク情報で示されたファイル名に記述された撮影補助情報を表示するときの、デジタルカメラの状態を示している。
【００４５】
すなわち、属性ｄｉｓｐ＿ｔｙｐｅが“ＣＡＰＴＵＲＥ  ＭＩＮＩ”とは、デジタルカメラの状態が撮影状態であるときのＬＣＤモニタの一部領域に表示する撮影補助情報であることを示している。従ってタグ＜Ａ＞全体では、デジタルカメラが撮影状態にあるときにＬＣＤモニタの一部領域に撮影補助情報を表示するときには、ｃａｐｔｕｒｅ−ｍｏｄｅ．ｈｔｍの内容を表示するよう記述されている。
【００４６】
同様に、属性ｄｉｓｐ＿ｔｙｐｅが“ＰＬＡＹ  ＭＩＮＩ”はデジタルカメラが再生状態にあるときの一部領域に表示する撮影補助情報であることを示し、属性ｄｉｓｐ＿ｔｙｐｅが“ＷＢ−ＳＥＬＥＣＴ  ＭＩＮＩ”はデジタルカメラがホワイトバランス選択状態にあるときの一部領域に表示する撮影補助情報であることを示し、属性ｄｉｓｐ＿ｔｙｐｅが“ＡＦ−ＳＥＬＥＣＴ  ＭＩＮＩ”はデジタルカメラがＡＦモード選択状態にあるときの一部領域に表示する撮影補助情報であることを示し、属性ｄｉｓｐ＿ｔｙｐｅが“ＮＯ−ＭＥＭＯＲＹ  ＭＡＩＮ”はデジタルカメラにメモリカードが装着されていないときにデジタルカメラのＬＣＤモニタの領域全体に表示する撮影補助情報であることを示している。
【００４７】
一方、図５〜図８はデジタルカメラのＬＣＤモニタの一部領域に撮影補助情報を表示するときの撮影補助情報ファイルの内容を示しており、図５はデジタルカメラが撮影状態にあるときの撮影補助情報ファイルであるｃａｐｔｕｒｅ−ｍｏｄｅ．ｈｔｍの内容、図６はデジタルカメラが再生状態にあるときの撮影補助情報ファイルであるｐｌａｙ−ｍｏｄｅ．ｈｔｍの内容、図７はデジタルカメラがホワイトバランス選択状態にあるときの撮影補助情報ファイルであるｗｂ−ｓｅｌｅｃｔ．ｈｔｍの内容、図８はデジタルカメラがＡＦモード選択状態にあるときの撮影補助情報ファイルであるａｆ−ｓｅｌｅｃｔ．ｈｔｍの内容をそれぞれ示している。
【００４８】
また、図１３はデジタルカメラにメモリカードが装着されていないときにＬＣＤモニタの領域全体に表示する場合の撮影補助情報ファイルであるｃｆ−ｅｍｐｔｙ．ｈｔｍの内容を示している。
【００４９】
図９は、本実施例のデジタルカメラ３５の背面を示したものであり、さらに撮影補助情報を常時表示しない場合のＬＣＤモニタの表示内容を示したものである。
【００５０】
図９で９ａは再生モードでのＬＣＤモニタの表示状態を示した図であり、９ｂは撮影モードでのＬＣＤモニタの表示状態を示した図、９ｃは撮影補助情報の表示状態を示した図である。
【００５１】
図９で９１はＬＣＤモニタ、９２は光学式ファインダ、９３は撮影モードと再生モードを切り替えるためのモードＳＷ、９４は撮影補助情報の表示・非表示を指示するＳＷ、９５は十字キー、９６はメニューの表示を指示するためのＳＷ、９７はメニュー操作などにおいて決定を指示するためのＳＥＴボタンである。
【００５２】
９ａはＬＣＤモニタ９１に再生画像を表示している状態であり、ユーザーがモードＳＷ９３を撮影側に切り替えることによって、撮影モードに移行し、９ｂで示すようにＬＣＤモニタ９１に電子ビューファインダ画像を表示する状態になる。また再生モードからＳＷ９４により撮影補助情報の表示を指示すると、９ｃのようにＬＣＤモニタ９１に例えば図４で示した撮影補助情報をＨＴＭＬ記述形式から表示形式に変換してＬＤＣモニタの全領域に表示する。
【００５３】
一方、図１０は、本実施例のデジタルカメラ３５において、撮影補助情報を常時表示する場合のＬＣＤモニタの表示内容を示したものである。撮影補助情報を常時表示するには、例えばメニューＳＷ９６を押すことによってデジタルカメラのＬＣＤモニタ９１に表示されるメニュー画面を、十字キー９５やＳＥＴボタン９７を使って操作することにより、設定を変更することができる。
【００５４】
図１０で１０ｃは９ｃと同様にＬＣＤモニタ９１の全領域に撮影補助情報を表示している状態を表している。この状態でユーザーがモードＳＷ９３を操作して撮影側に切り替えると、撮影モードに移行し、１０ｂで示すようにＬＣＤモニタ９１の一部領域には電子ビューファインダ画像が表示されると同時に、一部領域には図５で示された撮影補助情報ファイルを表示形式に変換した内容が表示される。すなわち、デジタルカメラが撮影状態にあるときの、一部領域表示用の撮影補助情報であるｃａｐｔｕｒｅ−ｍｏｄｅ．ｈｔｍを表示形式に変換した内容が表示される。
【００５５】
一方、９ｃで撮影補助情報を表示している状態で、ユーザーがＳＷ９４により撮影補助情報の非表示を指示すると、１０ａで示すようにＬＣＤモニタ９１の一部領域には再生画像を表示するのと同時に、一部領域には図６で示された撮影補助情報ファイルを表示形式に変換した内容が表示される。すなわち、デジタルカメラが再生状態にあるときの、一部領域表示用の撮影補助情報であるｐｌａｙ−ｍｏｄｅ．ｈｔｍを表示形式に変換した内容が表示される。
【００５６】
同様に、ユーザーが不図示のＳＷを使って、ホワイトバランスの設定を行っているときには、ＬＣＤモニタ９１の一部領域に電子ビューファインダ画像を表示し、一部領域には図７で示した撮影補助情報を表示したり、ＡＦモードの設定を行っているときには、ＬＣＤモニタ９１の一部領域には電子ビューファインダ画像を表示し、一部領域には図８で示した撮影補助情報を表示したりする。
【００５７】
このように、本実施例のデジタルカメラによれば、ユーザーが撮影モードへの移行を指示した場合や、画像の再生を指示した場合においても、ＬＣＤモニタの一部領域に撮影補助情報を表示するために、撮影動作や画像の閲覧を妨げることなく撮影補助情報を確認することができる。
【００５８】
また、撮影モードや再生モードでの撮影補助情報の内容を、撮影補助情報提供者が作成することができるので、例えば撮影モードと再生モードでの表示内容を変えたり、ホワイトバランスモードの選択時には、ホワイトバランスの決定の補助情報となるような内容を表示したりすることが可能である。したがって、撮影者の意図に適した内容を提供することが可能になる。
【００５９】
また、デジタルカメラのユーザーにとっては、カメラの設定や状態に応じた撮影補助情報を得ることができる。
【００６０】
次いで、本実施例のデジタルカメラ３５の動作について説明する。
【００６１】
図１１のフロー図を使ってデジタルカメラ３５における撮影補助情報の取得シーケンスを説明する。
【００６２】
前述したとおり、デジタルカメラ３５はＵＲＬ情報を撮影して画像データの形で取り込み、取り込んだ画像データからネットワークアドレス情報を取り出す（ステップＳ１１１）。
【００６３】
取り出したネットワークアドレスをあて先として、ステップＳ１１２でネットワーク上の配信サーバー３１に接続する。配信サーバー３１は対象の撮影補助情報ファイルをデジタルカメラ３５に送信するので、ステップＳ１１３で送信された撮影補助情報を受信する。次に、ステップＳ１１４で受信した撮影補助情報を解析して、ＬＤＣモニタの一部領域に表示するための撮影補助情報があるかないかを調べる。一部領域表示用の撮影補助情報がある場合は、属性ｈｒｅｆと属性ｄｉｓｐ＿ｔｙｐｅを持ったタグ＜Ａ＞がステップＳ１１３で受信した撮影補助情報に含まれている。
【００６４】
一部領域表示用の撮影補助情報がある場合、ステップＳ１１５でそれらの一部領域表示用の撮影補助情報を取得して終了する。
【００６５】
このように、ＬＣＤモニタの全領域表示用の撮影補助情報と一部領域表示用の撮影補助情報を同時に取得することによって、カメラが再生モードに移行したり、撮影モードに移行したりする度に、配信サーバーにアクセスして一部領域表示用の撮影補助情報を取得する必要がなくなり、軽快に動作することが可能となる。
【００６６】
次に図１のフロー図を使ってデジタルカメラ３５における撮影補助情報を常時表示する場合の、ＬＣＤモニタの表示状態の切り替えシーケンスを説明する。
【００６７】
ＬＣＤモニタの表示状態の切り替えシーケンスでは、図９のモードＳＷ９３と撮影補助情報の表示・非表示切り替えＳＷ９４をユーザーが操作することによって、実行される。
【００６８】
まず、ステップＳ１２１でモードＳＷ９３あるいは撮影補助情報の表示・非表示切り替えＳＷ９４が操作されたかどうかを監視する。操作された場合、ステップＳ１２３で撮影補助情報の表示モードを決定する。すなわち、ユーザーの操作前に撮影補助情報を全領域に表示するモードであった場合、撮影補助情報を一部領域に表示するモードに変更する。一方、ユーザーの操作前に撮影補助情報を一部領域に表示するモードであった場合、全領域に表示するモードに切り替える。そこで、ステップＳ１２４で撮影補助情報を全領域に表示するモードに切り替えると判断された場合、ステップＳ１２５で図１０の１０ｃのように撮影補助情報を全領域に表示してステップＳ１２１に戻る。
【００６９】
一方、撮影補助情報を一部領域に表示するモードに切り替えると判断された場合、ステップＳ１２６でカメラのモードを確認する。
【００７０】
カメラのモードが再生モードの場合は、図１０の１０ａのようにステップＳ１２７でＬＣＤモニタに再生画像を表示し、さらにステップＳ１２８で撮影補助情報を一部領域に表示してステップＳ１２１に戻る。
【００７１】
一方、ステップＳ１２９でカメラのモードが撮影モードと判断された場合は、図１０の１０ｂのようにステップＳ１３０でＬＣＤモニタに電子ビューファインダ画像を表示し、さらにステップＳ１３１で撮影補助情報を一部領域に表示してステップＳ１２１に戻る。
【００７２】
図１のフロー図では、カメラのモードが撮影モードの場合と再生モードの場合の処理のみを示したが、カメラがホワイトバランスの設定を行っているときには、図７で示した撮影補助情報をＬＣＤモニタの一部領域に表示したり、カメラがＡＦモードの設定を行っているときには、図８で示した撮影補助情報をＬＣＤモニタの一部領域に表示したりと、カメラの状態に応じて表示する撮影補助情報の内容を変えることは容易である。
【００７３】
また、撮影補助情報の内容と、撮影補助情報を表示するときのカメラの状態は、撮影補助情報提供者が撮影補助情報ファイルを作成したり編集したりすることによって自由に決めることができるため、例えばカメラが一定時間操作されなくなったら、ＬＣＤモニタに広告を表示したり、撮影補助情報を取得した時間に応じて表示する内容を変更したり、ということも本撮影補助情報表示システムの仕組みで容易に実現可能である。
【００７４】
また、本実施例では撮影補助情報はＨＴＭＬの形式で記述されていたが、ＸＭＬ（Ｅｘｔｅｎｓｉｂｌｅ  Ｍａｒｋｕｐ  Ｌａｎｇｕａｇｅ）やＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）など他の形式を使って記述するよう構成することも可能である。
【実施例２】
【００７５】
以下、本発明に係る撮影補助情報表示システムの第２の実施の形態を図面を参照しながら説明する。
【００７６】
本発明の実施形態による撮影補助情報表示システムの構成は図３に示したものと同様である。
【００７７】
また、本発明の実施形態によるデジタルカメラの構成は、ＬＣＤモニタ９１の他に第２のＬＣＤモニタを備えていることを除いて、図２で示したものとほぼ同様である。
【００７８】
図１２は、本実施例のデジタルカメラ３５の背面を示したものであり、撮影補助情報を常時表示する場合のＬＣＤモニタの表示内容を示したものである。
【００７９】
図１２で１４１はメインのＬＣＤモニタ、１４２は撮影補助情報表示用のＬＣＤモニタ、１４３は撮影モードと再生モードを切り替えるためのモードＳＷ、１４４はメインのＬＣＤモニタへの撮影補助情報の表示・非表示を指示するＳＷ、１４５は十字キー、１４６はメニューの表示を指示するためのＳＷ、１４７はメニュー操作などにおいて決定を指示するためのＳＥＴボタンである。
【００８０】
図１２で１２ｃはメインのＬＣＤモニタ１４１の全領域に撮影補助情報を表示している状態を表している。この状態でユーザーがモードＳＷ１４３を操作して撮影側に切り替えると、撮影モードに移行し、１２ｂで示すようにメインのＬＣＤモニタ１４１には電子ビューファインダ画像が表示されると同時に、撮影補助情報用のＬＣＤモニタ１４２に撮影補助情報が表示される。すなわち、デジタルカメラが撮影状態にあるときの、一部領域表示用の撮影補助情報であるｃａｐｔｕｒｅ−ｍｏｄｅ．ｈｔｍの内容が表示される。
【００８１】
一方、１２ｃでメインのＬＣＤモニタに撮影補助情報を表示している状態で、ユーザーがＳＷ１４４により撮影補助情報の非表示を指示すると、１２ａで示すようにメインのＬＣＤモニタ１４１には再生画像を表示するのと同時に、撮影補助情報用のＬＣＤモニタ１４２には図６で示された撮影補助情報が表示される。すなわち、デジタルカメラが再生状態にあるときの、一部領域表示用の撮影補助情報であるｐｌａｙ−ｍｏｄｅ．ｈｔｍの内容が表示される。
【００８２】
このように、本実施例のデジタルカメラによれば、撮影補助情報用のＬＣＤモニタをメインのＬＣＤモニタとは別に備えており、ユーザーが撮影モードへの移行を指示した場合や、画像の再生を指示した場合においても、メインのＬＣＤに再生画像やビューファインダ画像を表示しながら、撮影補助情報用ＬＣＤモニタに撮影補助情報を表示するために、撮影動作や画像の閲覧を妨げることなく撮影補助情報を確認することができる。
【図面の簡単な説明】
【００８３】
【図１】一実施形態におけるデジタルカメラのＬＣＤモニタの表示状態の切り替え手順のフロー図
【図２】一実施形態のデジタルカメラの構成を示すブロック図
【図３】本発明の撮影補助情報表示システムの一実施形態を示す図
【図４】撮影補助情報の一例を示す図
【図５】一部領域表示用の撮影補助情報の一例を示す図
【図６】一部領域表示用の撮影補助情報の一例を示す図
【図７】一部領域表示用の撮影補助情報の一例を示す図
【図８】一部領域表示用の撮影補助情報の一例を示す図
【図９】一実施形態におけるデジタルカメラの背面および撮影補助情報を常時表示しない場合のＬＣＤモニタの表示内容を示した図
【図１０】一実施形態におけるデジタルカメラの背面および撮影補助情報を常時表示する場合のＬＣＤモニタの表示内容を示した図
【図１１】一実施形態におけるデジタルカメラの撮影補助情報の取得手順のフロー図
【図１２】一実施形態におけるデジタルカメラの背面および撮影補助情報を常時表示する場合のＬＣＤモニタの表示内容を示した図
【図１３】全領域表示用の撮影補助情報の一例を示す図
【符号の説明】
【００８４】
３１    配信サーバー
３２    ユーザー端末
３３    アクセスポイント
３４    アクセスポイント
３５    デジタルカメラ
３６    ＵＲＬ情報
３７    撮影補助情報
３８    ネットワーク
９１    ＬＣＤモニタ
９２    光学式ファインダ
９３    モードＳＷ
９４    撮影補助情報の表示・非表示を指示するＳＷ
９５    十字キー
９６    メニューＳＷ
９７    ＳＥＴボタン
１４１  ＬＣＤモニタ
１４２  撮影補助情報表示用ＬＣＤモニタ
１４３  モードＳＷ
１４４  撮影補助情報の表示・非表示を指示するＳＷ
１４５  十字キー
１４６  メニューＳＷ
１４７  ＳＥＴボタン
２０２  通信Ｉ／Ｆ
２０３  信号処理部
２０４  ＲＡＭ
２０５  撮像部
２０６  ＣＰＵ
２０７  ＣＦ
２０８  ＶＲＡＭ
２０９  ＬＣＤモニタ
２１０  ＲＯＭ
２１１  ＳＷ制御部
２１２  操作部材
２１３  ＦＬＡＳＨ  ＲＯＭ
２１４  ベースバンド制御用コントローラ
２１５  ＲＦモジュール
２１６  アンテナ
【図１】
2006295687.tif 000003
【図２】
2006295687.tif 000004
【図３】
2006295687.tif 000005
【図４】
2006295687.tif 000006
【図５】
2006295687.tif 000007
【図６】
2006295687.tif 000008
【図７】
2006295687.tif 000009
【図８】
2006295687.tif 000010
【図９】
2006295687.tif 000011
【図１０】
2006295687.tif 000012
【図１１】
2006295687.tif 000013
【図１３】
2006295687.tif 000014
【図１２】
2006295687.tif 000015